(57)【特許請求の範囲】
【請求項１】
胴部２上端から口頸部３を起立し、かつ上下ほぼ同一内径とした大容器体１と、
上記大容器体内へ積上げして口頸部を通っての取出しが可能に嵌合された、収納物入りの複数の小容器体11と、
上記大容器体の口頸部に嵌合させたキャップ21とからなり、
上記小容器体11は、底板12外周から起立する周壁13上端開口面を、剥離可能にシート14で密閉させた
ことを特徴とするペースト状化粧品等収納容器。
【請求項２】
上記大容器体１を、外容器体1aと内容器体1bとを重ねて、かつ外容器体に対して内容器体の着脱が可能に形成すると共に、該内容器体の底壁５には、上記小容器体押上げ用の透孔６を穿設した
ことを特徴とする、請求項１記載の化粧品等収納容器。
【請求項３】
上記複数の小容器体の各高さをほぼ同一に形成すると共に、大容器体内へ積上げ状態に収納された複数小容器体11全体の高さを、大容器体の底部内面から口頸部上端までの高さとほぼ等しくした
ことを特徴とする請求項１又は２記載のペースト状化粧品等収納容器。
【請求項４】
上記大容器体胴部２の内面と、小容器体周壁13の外面とに、互いに係合して大容器体に対する小容器体の回動を阻止する回り止め突条４，15をそれぞれ縦設した
ことを特徴とする請求項１、２又は３記載のペースト状化粧品等収納容器。
【発明の詳細な説明】
【０００１】
【発明の属する技術分野】
本発明は、ペースト状化粧品或いは食品等を収納する容器に関する。
【０００２】
【従来の技術】
例えば化粧用クリームを収納させた容器は、該容器内クリームが少なくなってもそのクリーム取出しのためにその容器体内へ指を入れたとき、該指が底壁内面へ届く程度の深さに容器を形成している。
【０００３】
【発明が解決しようとする課題】
従来の容器は収納物が少なくなったとき、例えば指を深く容器内へ差込みして取出していたから、その取出しが困難となることがあった。
【０００４】
本発明は、上記欠点を除去して容器体内収納物の取出しが容易であるよう設けたものである。
【０００５】
【課題を解決するための手段】
第１の手段として胴部２上端から口頸部３を起立し、かつ上下ほぼ同一内径とした大容器体１と、
上記大容器体内へ積上げして口頸部を通っての取出しが可能に嵌合された、収納物入りの複数の小容器体11と、
上記大容器体の口頸部に嵌合させたキャップ21とからなり、
上記小容器体11は、底板12外周から起立する周壁13上端開口面を、剥離可能にシート14で密閉させた。
【０００６】
第２の手段として、上記第１の手段を有すると共に上記大容器体１を、外容器体1aと内容器体1bとを重ねて、かつ外容器体に対して内容器体の着脱が可能に形成すると共に、該内容器体の底壁５には、上記小容器体押上げ用の透孔６を穿設した。
【０００７】
第３の手段として、上記第１、又は第２の手段を有すると共に上記複数の小容器体の各高さをほぼ同一に形成すると共に、大容器体内へ積上げ状態に収納された複数小容器体11全体の高さを、大容器体の底部内面から口頸部上端までの高さとほぼ等しくした。
【０００８】
第４の手段として、上記第１、第２、又は第３の手段を有すると共に上記大容器体胴部２の内面と、小容器体周壁13の外面とに、互いに係合して大容器体に対する小容器体の回動を阻止する回り止め突条４，15をそれぞれ縦設した。
【０００９】
【発明の実施の形態】
以下図面について説明すると、本発明容器は大容器体と小容器体と、キャップとからなる。
【００１０】
大容器体１は胴部２上端からキャップ嵌合用の口頸部３を起立し、かつ上下ほぼ同一内径とする。図示例ではその大容器体を、外容器体1aとその外容器体内へ重ねて嵌合可能に設けた内容器体1bとで形成し、その内容器体1bは外容器体内へ着脱可能に設けている。内容器体は上下同一内径の胴部2bを有し、該胴部上端に付設した外向きフランジを外容器体が有する口頸部３の上端面へ係合させている。外容器体胴部2aは縦断面円弧状として外容器体胴部と内容器体胴部との間には間隙を設けている。内容器体胴部2bの内面には後述小容器体回り止め用の突条４を多数縦設している。又内容器体の底壁５には小容器体押上げ用の透孔６を穿設している。
【００１１】
大容器体は、図示例のように外容器体と内容器体とを重ねて形成することが望ましいが、必ずしもこのように形成する必要はなく、一箇で大容器体を形成してもよい。この場合大容器体内面は上記内容器体の内面と同様に形成すればよい。
【００１２】
上記大容器体内へは、収納物31を入れた小容器体11を上下に重ねて複数嵌合させる。該小容器体は、底板12外周から起立する、胴部としての周壁13上端面を、剥離可能にシート14で密閉するもので、各小容器体は同一高さに形成するとよく、又大容器体内へ積上げた状態で、複数小容器体の全体高さは、大容器体底部内面から口頸部上端までの高さとほぼ等しくしている。既述のようにそれ等小容器体の周壁13外面へも回り止め突条15を縦設しており、大容器体内へ嵌合させた状態で大小各容器体の回り止め突条は互いに係合して大容器体に対して小容器体が回動しないよう設けている。小容器体は大容器体内から口頸部を通しての取出しが可能で、又大容器体内への収納が可能とする。
【００１３】
21は大容器体１の口頸部への螺合が可能に設けたキャップで、頂板22外周から垂下する嵌合周壁23を口頸部３外面へ螺合させている。尚その頂板22下面には頂板下面と同一大きさに設けたパッキング24を固着させている。
【００１４】
上記外容器体、内容器体、小容器体、キャップはすべて合成樹脂材で形成しているが、図示のように大容器体を外容器体と内容器体とで形成した場合は、外容器体を金属等光沢を有する材質製として、該外容器体だけは内容器体、小容器体の交換と関係なく、繰返し長期にわたって使用できるよう装飾的に勝れたものとすることが出来る。
【００１５】
既述構成において、小容器体内収納物31を使用する際は、キャップ21を外し、又上方小容器体のシート14を剥離して使用する。上方小容器体内の収納物を使い終わったら、大容器体内の複数小容器体をすべて取出し、上記空となった小容器体を大容器体の底部側へ入れ、未使用小容器体を大容器体の上方側に入れて、既述シート14を剥離して使用する。このようにして大容器体内すべての小容器体が空となれば、小容器体だけないし小容器体入り内容器体を購入して大容器体内の小容器と入れ替えることで更に使用することが出来る。
【００１６】
【発明の効果】
本発明は既述構成とするもので、大容器体内へ複数の小容器体を積上げ、その上方の小容器体だけを使用するよう設けたから、小容器体内深さを大容器体内深さの数分の一として浅くすることが出来、よって従来のように容器体内底部に残った収納物取出しに際して不便を感ずることがない。又上方小容器体内収納物を使い終わるまで下方小容器体は密閉されたままで保存されることとなるため、収納物を新鮮なままに保つことが出来る。
【００１７】
請求項２のように形成することで外容器体を装飾性に勝れたものとして永続的に使用できる。又内容器体底壁に透孔６を設けたことで、外容器体内から内容器体を外した状態でその透孔を利用して小容器体を押出し出来る便利がある。
【００１８】
請求項３のようにすることで、小容器体の交換が可能となり、又大容器体の高さと、該容器体内へ収納させた複数小容器体全体の高さとを一致させることが出来て便利である。
【００１９】
請求項４のようにすることで、収納物取出し時、大容器体に対して小容器体が回動することを防止でき、従ってその小容器体内収納物の取出しが容易である。
【図面の簡単な説明】
【図１】  本発明容器の半断面図である。
【符号の説明】
１…大容器体        11…小容器体
14…シート          21…キャップ
【図１】
0003915051.tif 000002